(57)【要約】【課題】電子ペンを利用したスケジュール管理システムにおいて、スケジュールの名称などに加え、コンピュータでスケジュール管理するときに必要となる情報をも電子的に入力することができるスケジュール管理システム等を提供する。【解決手段】ユーザが所持する手帳２０には電子ペン１０で読取り可能なドットパターンが印刷され、電子ペン１０は、手帳２０に記入されたときの筆跡情報を記憶する。ＡＳＨサーバ６０は、電子ペン１０から送信された筆跡情報に含まれ、予め定められた規則に従い手帳２０に記入された入力記号から、スケジュール管理サーバ７０で利用されるスケジュールの属性を特定し、スケジュール管理サーバ７０で利用されるスケジュール情報を生成する。【選択図】図１
2008097404.tif 000002
【特許請求の範囲】
【請求項１】
電子ペンを利用したスケジュール管理システムであって、ユーザが所持する手帳と電子ペン、そして、ユーザのスケジュールを電子的に管理するスケジュール管理装置とから、少なくとも構成され、前記手帳には、時間メモリを有するスケジュールエリアが日付ごとに設けられ、前記スケジュールエリアには、それぞれの前記スケジュールエリアを識別するためのドットパターンが印刷され、前記ドットパターンによって、前記スケジュールエリア上の絶対的な位置情報が示され、前記電子ペンは、前記手帳に記入されているときに撮像した前記ドットパターンを解析し得られる前記電子ペンの位置情報及び前記電子ペンの軌跡を少なくとも筆跡情報としてメモリに記憶し、前記スケジュール管理装置は、前記電子ペンから前記筆跡情報を読取り、位置情報が前記スケジュールエリアに含まれる前記筆跡情報から、スケジュールの名称となる文字列（スケジュール名称）とその位置情報、並びに、前記スケジュール管理装置で利用される情報を示し、定められた規則に従い記入される前記入力記号とその位置情報を検索し、前記スケジュール名称及び前記入力記号の位置情報を参照することで、前記スケジュール名称と前記入力記号を関連付け、前記スケジュール名称の位置情報からスケジュールの日付を、前記規則に従い前記入力記号を解釈することでスケジュールの属性をそれぞれ取得し、前記スケジュール名称、スケジュールの日付およびスケジュールの属性を含むスケジュール情報を前記スケジュール名称ごとに生成するスケジュール情報生成手段と、前記スケジュール情報生成手段が生成した前記スケジュール情報に従い、スケジュールを管理するスケジュール管理手段を備えることを特徴とするスケジュール管理システム。
【請求項２】
請求項１に記載のスケジュール管理システムであって、前記スケジュール管理装置に備えられた前記スケジュール情報生成手段は、スケジュールの時間帯を示す前記入力記号を検索したとき、前記時間メモリの位置情報を参照することで、スケジュールの時間帯を示す前記入力記号の位置情報からスケジュールの時間帯を特定し、生成する前記スケジュール情報に、スケジュールの日付と時間帯を含ませ、前記スケジュール管理手段は、前記スケジュール情報に含まれる日付及び時間帯に対応する箇所に前記スケジュール情報を表示することを特徴とするスケジュール管理システム。
【請求項３】
請求項１または請求項２に記載のスケジュール管理システムであって、前記スケジュール管理装置に備えられた前記スケジュール情報生成手段は、スケジュールを非表示（或いは表示）を示す前記入力記号が検索されたとき、生成する前記スケジュール情報に、スケジュールの非表示（或いは表示）を意味する属性を付与し、前記スケジュール管理手段は、前記スケジュール情報で表示が許可されているスケジュールのみを表示することを特徴とするスケジュール管理システム。
【請求項４】
請求項１から請求項３のいずれかに記載のスケジュール管理システムであって、前記スケジュール管理装置に備えられた前記スケジュール情報生成手段は、前記スケジュール情報をユーザが所持する情報端末に通知する前記入力記号が検索されたとき、生成する前記スケジュール情報に、前記スケジュール情報の通知を意味する属性を付与し、前記スケジュール管理手段は、前記スケジュール情報で通知が示されている前記スケジュール情報を、ユーザが指定した日時に前記情報端末へ送信することを特徴とするスケジュール管理システム。
【請求項５】
請求項１から請求項４のいずれかに記載のスケジュール管理システムであって、スケジュールのロケーションを示す文字列を含む前記入力記号が検索されたとき、生成する前記スケジュール情報に、スケジュールのロケーションを示す属性情報として、スケジュールのロケーションを示す文字列を付与し、前記スケジュール管理手段は、前記スケジュール情報を表示するときに、前記スケジュール名称と共に、ロケーションを示す文字列を表示することを特徴とするスケジュール管理システム。
【請求項６】
請求項１から請求項５のいずれかに記載のスケジュール管理システムであって、前記手帳には、前記スケジュールエリアに記入するスケジュールの詳細内容を記入するメモエリアが、前記スケジュールエリアに併設して設けられ、スケジュールを示す前記スケジュール名称を検索したときに、前記スケジュール名称の位置情報に対応する前記メモエリアの領域を検索し、前記メモリエリアに文字列が検索されたときは、生成する前記スケジュール情報の詳細内容を意味する属性として、前記メモリエリアで検索された文字列を付与し、前記スケジュール管理手段は、ユーザの指示があったとき、前記スケジュール情報の詳細内容として、詳細内容を意味する文字列を表示することを特徴とするスケジュール管理システム。
【請求項７】
請求項１から請求項６のいずれかに記載のスケジュール管理システムであって、前記手帳には、前記スケジュールエリアには、ユーザが実行すべきタスクを記入するタスクエリアが日付ごとに設けられ、前記タスクエリアには、それぞれの前記タスクエリアを識別するためのドットパターンが印刷され、前記ドットパターンによって、前記タスクエリア上の絶対的な位置情報が示され、前記スケジュール管理装置は、前記電子ペンから前記筆跡情報を読取り、位置情報が前記タスクエリアに含まれる前記筆跡情報から、タスクの名称となる文字列（タスク名称）とその位置情報を検索し、前記タスク名称の位置情報からタスクの日付をそれぞれ取得し、前記タスク名称、および、タスクの日付を含むタスク情報を前記タスク名称ごとに生成し、前記スケジュール管理手段は、少なくとも前記タスク名称を表示することを特徴とするスケジュール管理システム。
【請求項８】
請求項７に記載のスケジュール管理システムであって、前記タスクエリアに含まれる前記筆跡情報を検索し、タスクの完了を意味する前記入力記号が検索されたとき、タスクの完了を意味する前記タスク情報を生成することを特徴とするスケジュール管理システム。
【請求項９】
請求項７または請求項８に記載のスケジュール管理システムであって、前記スケジュール管理装置に備えられた前記スケジュール情報生成手段は、前記タスク情報をユーザが所持する情報端末に通知する前記入力記号を検索したとき、前記タスク情報の通知を示す前記入力記号の位置情報から対応する前記タスク名称を特定し、生成する前記タスク情報に、前記タスク情報の通知を意味する属性を付与し、前記スケジュール管理手段は、通知が示されている前記タスク情報を、ユーザが指定した日時に前記情報端末へ送信することを特徴とするスケジュール管理システム。
【請求項１０】
請求項１から請求項９に記載のスケジュール管理システムであって、前記スケジュール管理システムを構成する前記スケジュール管理装置は、前記スケジュール情報生成手段として動作する第１のサーバと、前記スケジュール管理手段として動作する第２のサーバとから構成され、前記第１のサーバと前記第２のサーバはネットワークを介して接続されていることを特徴とするスケジュール管理システム。
【請求項１１】
請求項１から請求項９に記載のスケジュール管理システムを構成するスケジュール管理装置に備えられたスケジュール情報生成手段として動作するサーバ。
【請求項１２】
請求項１から請求項９に記載のスケジュール管理システムを構成するスケジュール管理装置に備えられたスケジュール情報生成手段として、コンピュータを機能させるためのコンピュータプログラム。
【請求項１３】
ユーザが所持する手帳と電子ペンを利用したスケジュール管理方法であって、前記手帳には、一日のタイムスケジュールを記入するスケジュールエリアが日付ごとに設けられ、前記スケジュールエリアには、それぞれの前記スケジュールエリアを識別するためのドットパターンが印刷され、前記ドットパターンによって、前記スケジュールエリア上の絶対的な位置情報が示され、更に、前記電子ペンは、前記手帳に記入されているときに撮像した前記ドットパターンを解析し得られる前記電子ペンの位置情報及び前記電子ペンの軌跡を少なくとも筆跡情報としてメモリに記憶し、前記スケジュール管理方法は、前記手帳の前記スケジュールエリアにスケジュールが記入され、スケジュールが記入されたときの前記筆跡情報を前記電子ペンがメモリに記憶する第１の工程、前記電子ペンから前記筆跡情報を読取り、位置情報が前記スケジュールエリアに含まれる前記筆跡情報から、スケジュールの名称となる文字列（スケジュール名称）とその位置情報、並びに、前記スケジュール管理装置で利用される情報を示し、定められた規則に従い記入される入力記号とその位置情報を検索し、前記スケジュール名称及び前記入力記号の位置情報を参照することで、前記スケジュール名称と前記入力記号を関連付け、前記スケジュール名称の位置情報からスケジュールの日付を、前記規則に従い前記入力記号を解釈することでスケジュールの属性をそれぞれ取得し、前記スケジュール名称、スケジュールの日付およびスケジュールの属性を含むスケジュール情報を前記スケジュール名称ごとに生成する第２の工程、生成した前記スケジュール情報に従い、スケジュールを管理する第３の工程を備えることを特徴とするスケジュール管理方法。
【請求項１４】
請求項１３に記載のスケジュール管理方法であって、前記手帳には、前記スケジュールエリアに加え、ユーザが実行すべきタスクを記入するタスクエリアが日付ごとに設けられ、前記タスクエリアには、それぞれの前記タスクエリアを識別するためのドットパターンが印刷され、前記ドットパターンによって、前記タスクエリア上の絶対的な位置情報が示され、前記スケジュール管理方法は、前記手帳の前記タスクエリアにスケジュールが記入され、タスクが記入されたときの前記筆跡情報を前記電子ペンがメモリに記憶する第４の工程、前記電子ペンから前記筆跡情報を読取り、位置情報が前記タスクエリアに含まれる前記筆跡情報から、タスクの名称となる文字列（タスク名称）とその位置情報を検索し、前記タスク名称の位置情報からタスクの日付をそれぞれ取得し、前記タスク名称、および、タスクの日付を含むタスク情報を前記タスク名称ごとに生成する第５の工程と、少なくとも前記タスク名称を表示する第６の工程とを備えることを特徴とするスケジュール管理方法。
【発明の詳細な説明】
【技術分野】
【０００１】
本発明は、コンピュータを用いてスケジュールを管理するシステム・方法に関し、更に詳しくは、電子ペンを用いたシステム・方法に関する。
【背景技術】
【０００２】
コンピュータ技術の発展に伴い、従来は手帳を用いて管理していたスケジュールも、コンピュータを利用して管理することが多くなった。例えば、ネットワークを利用し、複数のユーザのスケジュールを一括して表示することで、企業内のスケジュール調整を円滑に行えるようにしたスケジュール管理システムが開発されている。（例えば、特許文献１）。
【０００３】
コンピュータを用いてスケジュールを管理することで、複数のユーザとスケジュールを共有できるメリットや、スケジュールをユーザに通知できるメリットが生じるが、紙媒体である手帳には、手書きで容易にスケジュールを記入できるメリットもあって、企業にスケジュール管理システムが導入されていた場合でも、手帳を利用して、個人のスケジュールを管理するユーザも少なくない。
【０００４】
特許文献２で開示されている発明は、手帳に記入されたスケジュールを電子的にバックアップする装置であって、手帳にスケジュールを記入したときに電子ペンに記憶される情報をコンピュータで読取ることで、手帳に記入したスケジュールをスケジュール管理システムに入力し直すことなく、手帳に記入したスケジュールをコンピュータで利用することができるようになる。
【特許文献１】特開平５−１２２９６号公報
【特許文献２】特表２００６−１５７５７号公報
【発明の開示】
【発明が解決しようとする課題】
【０００５】
特許文献２で開示されている手帳を利用することで、手帳に記入したスケジュールを電子的にコンピュータへ入力することは可能になるが、手帳でスケジュールを管理するときには必要ないが、コンピュータでスケジュールを管理するときに必要となる情報を電子的に入力することはできなかった。
【０００６】
コンピュータを利用しスケジュールを管理するスケジュール管理装置は、手帳では実現できない機能を備えていることが一般的で、例えば、その機能には、ネットワークを利用して、特許文献１で開示されているようにスケジュールを公開する機能がある。
【０００７】
通常、手帳には、業務に係るスケジュールばかりでなく、ユーザのプライベートのスケジュールも記入されるため、当然のことながら、ユーザのプライベートのスケジュールは、他のユーザに公開されないことが望ましい。
【０００８】
また、スケジュール管理装置には、手帳にはない機能として、ユーザが指定した日時に、ユーザが指定した情報端末（例えば、携帯電話）へ、スケジュールを通知するアラートの機能を備えていることが多い。
【０００９】
そこで、本発明は、電子ペンを利用したスケジュール管理システムにおいて、スケジュールの名称などに加え、コンピュータでスケジュール管理するときに必要となる情報をも電子的に入力することができるスケジュール管理システム等を提供することを目的とする。
【課題を解決するための手段】
【００１０】
上述した課題を解決する第１の発明は、電子ペンを利用したスケジュール管理システムであって、ユーザが所持する手帳と電子ペン、そして、ユーザのスケジュールを電子的に管理するスケジュール管理装置とから、少なくとも構成され、前記手帳には、時間メモリを有するスケジュールエリアが日付ごとに設けられ、前記スケジュールエリアには、それぞれの前記スケジュールエリアを識別するためのドットパターンが印刷され、前記ドットパターンによって、前記スケジュールエリア上の絶対的な位置情報が示され、前記電子ペンは、前記手帳に記入されているときに撮像した前記ドットパターンを解析し得られる前記電子ペンの位置情報及び前記電子ペンの軌跡を少なくとも筆跡情報としてメモリに記憶し、前記スケジュール管理装置は、前記電子ペンから前記筆跡情報を読取り、位置情報が前記スケジュールエリアに含まれる前記筆跡情報から、スケジュールの名称となる文字列（スケジュール名称）とその位置情報、並びに、前記スケジュール管理装置で利用される情報を示し、定められた規則に従い記入される前記入力記号とその位置情報を検索し、前記スケジュール名称及び前記入力記号の位置情報を参照することで、前記スケジュール名称と前記入力記号を関連付け、前記スケジュール名称の位置情報からスケジュールの日付を、前記規則に従い前記入力記号を解釈することでスケジュールの属性をそれぞれ取得し、前記スケジュール名称、スケジュールの日付およびスケジュールの属性を含むスケジュール情報を前記スケジュール名称ごとに生成するスケジュール情報生成手段と、前記スケジュール情報生成手段が生成した前記スケジュール情報に従い、スケジュールを管理するスケジュール管理手段を備えることを特徴とする。
【００１１】
更に、第２の発明は、第１の発明に記載のスケジュール管理システムであって、前記スケジュール管理装置に備えられた前記スケジュール情報生成手段は、スケジュールの時間帯を示す前記入力記号を検索したとき、前記時間メモリの位置情報を参照することで、スケジュールの時間帯を示す前記入力記号の位置情報からスケジュールの時間帯を特定し、生成する前記スケジュール情報に、スケジュールの日付と時間帯を含ませ、前記スケジュール管理手段は、前記スケジュール情報に含まれる日付及び時間帯に対応する箇所に前記スケジュール情報を表示することを特徴とする。
【００１２】
更に、第３の発明は、第１の発明または第２の発明に記載のスケジュール管理システムであって、前記スケジュール管理装置に備えられた前記スケジュール情報生成手段は、スケジュールを非表示（或いは表示）を示す前記入力記号が検索されたとき、生成する前記スケジュール情報に、スケジュールの非表示（或いは表示）を意味する属性を付与し、前記スケジュール管理手段は、前記スケジュール情報で表示が許可されているスケジュールのみを表示することを特徴とする。
【００１３】
更に、第４の発明は、第１の発明から第３の発明のいずれかに記載のスケジュール管理システムであって、前記スケジュール管理装置に備えられた前記スケジュール情報生成手段は、前記スケジュール情報をユーザが所持する情報端末に通知する前記入力記号が検索されたとき、生成する前記スケジュール情報に、前記スケジュール情報の通知を意味する属性を付与し、前記スケジュール管理手段は、前記スケジュール情報で通知が示されている前記スケジュール情報を、ユーザが指定した日時に前記情報端末へ送信することを特徴とする。
【００１４】
更に、第５の発明は、第１の発明から第４の発明のいずれかに記載のスケジュール管理システムであって、スケジュールのロケーションを示す文字列を含む前記入力記号が検索されたとき、生成する前記スケジュール情報に、スケジュールのロケーションを示す属性情報として、スケジュールのロケーションを示す文字列を付与し、前記スケジュール管理手段は、前記スケジュール情報を表示するときに、前記スケジュール名称と共に、ロケーションを示す文字列を表示することを特徴とする。
【００１５】
更に、第６の発明は、第１の発明から第５の発明のいずれかに記載のスケジュール管理システムであって、前記手帳には、前記スケジュールエリアに記入するスケジュールの詳細内容を記入するメモエリアが、前記スケジュールエリアに併設して設けられ、スケジュールを示す前記スケジュール名称を検索したときに、前記スケジュール名称の位置情報に対応する前記メモエリアの領域を検索し、前記メモリエリアに文字列が検索されたときは、生成する前記スケジュール情報の詳細内容を意味する属性として、前記メモリエリアで検索された文字列を付与し、前記スケジュール管理手段は、ユーザの指示があったとき、前記スケジュール情報の詳細内容として、詳細内容を意味する文字列を表示することを特徴とする。
【００１６】
更に、第７の発明は、第１の発明から第６の発明のいずれかに記載のスケジュール管理システムであって、前記手帳には、前記スケジュールエリアには、ユーザが実行すべきタスクを記入するタスクエリアが日付ごとに設けられ、前記タスクエリアには、それぞれの前記タスクエリアを識別するためのドットパターンが印刷され、前記ドットパターンによって、前記タスクエリア上の絶対的な位置情報が示され、前記スケジュール管理装置は、前記電子ペンから前記筆跡情報を読取り、位置情報が前記タスクエリアに含まれる前記筆跡情報から、タスクの名称となる文字列（タスク名称）とその位置情報を検索し、前記タスク名称の位置情報からタスクの日付をそれぞれ取得し、前記タスク名称、および、タスクの日付を含むタスク情報を前記タスク名称ごとに生成し、前記スケジュール管理手段は、少なくとも前記タスク名称を表示することを特徴とする。
【００１７】
更に、第８の発明は、第７の発明に記載のスケジュール管理システムであって、前記タスクエリアに含まれる前記筆跡情報を検索し、タスクの完了を意味する前記入力記号が検索されたとき、タスクの完了を意味する前記タスク情報を生成することを特徴とする。
【００１８】
更に、第９の発明は、第７の発明または第８の発明に記載のスケジュール管理システムであって、前記スケジュール管理装置に備えられた前記スケジュール情報生成手段は、前記タスク情報をユーザが所持する情報端末に通知する前記入力記号を検索したとき、前記タスク情報の通知を示す前記入力記号の位置情報から対応する前記タスク名称を特定し、生成する前記タスク情報に、前記タスク情報の通知を意味する属性を付与し、前記スケジュール管理手段は、通知が示されている前記タスク情報を、ユーザが指定した日時に前記情報端末へ送信することを特徴とする。
【００１９】
更に、第１０の発明は、第１の発明から第９の発明に記載のスケジュール管理システムであって、前記スケジュール管理システムを構成する前記スケジュール管理装置は、前記スケジュール情報生成手段として動作する第１のサーバと、前記スケジュール管理手段として動作する第２のサーバとから構成され、前記第１のサーバと前記第２のサーバはネットワークを介して接続されていることを特徴とする。
【００２０】
更に、第１１の発明は、第１の発明から第９の発明に記載のスケジュール管理システムを構成するスケジュール管理装置に備えられたスケジュール情報生成手段として動作するサーバである。
【００２１】
更に、第１２の発明は、第１の発明から第９の発明に記載のスケジュール管理システムを構成するスケジュール管理装置に備えられたスケジュール情報生成手段として、コンピュータを機能させるためのコンピュータプログラムである。
【００２２】
更に、第１３の発明は、ユーザが所持する手帳と電子ペンを利用したスケジュール管理方法であって、前記手帳には、一日のタイムスケジュールを記入するスケジュールエリアが日付ごとに設けられ、前記スケジュールエリアには、それぞれの前記スケジュールエリアを識別するためのドットパターンが印刷され、前記ドットパターンによって、前記スケジュールエリア上の絶対的な位置情報が示され、更に、前記電子ペンは、前記手帳に記入されているときに撮像した前記ドットパターンを解析し得られる前記電子ペンの位置情報及び前記電子ペンの軌跡を少なくとも筆跡情報としてメモリに記憶し、前記スケジュール管理方法は、前記手帳の前記スケジュールエリアにスケジュールが記入され、スケジュールが記入されたときの前記筆跡情報を前記電子ペンがメモリに記憶する第１の工程、前記電子ペンから前記筆跡情報を読取り、位置情報が前記スケジュールエリアに含まれる前記筆跡情報から、スケジュールの名称となる文字列（スケジュール名称）とその位置情報、並びに、前記スケジュール管理装置で利用される情報を示し、定められた規則に従い記入される入力記号とその位置情報を検索し、前記スケジュール名称及び前記入力記号の位置情報を参照することで、前記スケジュール名称と前記入力記号を関連付け、前記スケジュール名称の位置情報からスケジュールの日付を、前記規則に従い前記入力記号を解釈することでスケジュールの属性をそれぞれ取得し、前記スケジュール名称、スケジュールの日付およびスケジュールの属性を含むスケジュール情報を前記スケジュール名称ごとに生成する第２の工程、生成した前記スケジュール情報に従い、スケジュールを管理する第３の工程を備えることを特徴とする。
【００２３】
更に、第１４の発明は、第１３の発明に記載のスケジュール管理方法であって、前記手帳には、前記スケジュールエリアに加え、ユーザが実行すべきタスクを記入するタスクエリアが日付ごとに設けられ、前記タスクエリアには、それぞれの前記タスクエリアを識別するためのドットパターンが印刷され、前記ドットパターンによって、前記タスクエリア上の絶対的な位置情報が示され、前記スケジュール管理方法は、前記手帳の前記タスクエリアにスケジュールが記入され、タスクが記入されたときの前記筆跡情報を前記電子ペンがメモリに記憶する第４の工程、前記電子ペンから前記筆跡情報を読取り、位置情報が前記タスクエリアに含まれる前記筆跡情報から、タスクの名称となる文字列（タスク名称）とその位置情報を検索し、前記タスク名称の位置情報からタスクの日付をそれぞれ取得し、前記タスク名称、および、タスクの日付を含むタスク情報を前記タスク名称ごとに生成する第５の工程と、少なくとも前記タスク名称を表示する第６の工程とを備えることを特徴とする。
【００２４】
本発明において、前記手帳にスケジュール・タスクの名称である文字と共に、定められた規則に従い、前記スケジュール管理装置で利用される情報を示す前記入力記号を記入し、この前記入力記号を前記規則に従い解釈して前記スケジュール情報を生成することで、前記電子ペンを利用したスケジュール管理システムにおいて、スケジュール・タスクの名称などに加え、コンピュータでスケジュール管理するときに必要となる情報をも電子的に入力することができるようになる。
【００２５】
更に、スケジュールの属性ごとに異なる前記入力記号を用意しておけば、スケジュールの日付及び時間帯、スケジュールの表示、スケジュール・タスクの通知、スケジュールのロケーションなどの属性を前記手帳に書込み、コンピュータへの入力が可能になる。
【００２６】
前記メモリエリアを前記手帳に備えることで、スケジュールの詳細内容を前記手帳に書き込み、コンピュータへの入力が可能になる。
【発明の効果】
【００２７】
上述した本発明によれば、電子ペンを利用したスケジュール管理システムにおいて、スケジュールの名称などに加え、コンピュータでスケジュール管理するときに必要となる情報をも電子的に入力することができるスケジュール管理システム等を提供できる。
【発明を実施するための最良の形態】
【００２８】
ここから、電子ペン１０を利用したスケジュール管理システム１について、図を参照しながら詳細に説明する。図１は、電子ペン１０を利用したスケジュール管理システム１の構成を示した図である。
【００２９】
図１に示したように、電子ペン１０を利用したスケジュール管理システム１は、電子ペン１０と、電子ペン１０によってスケジュールの内容が記入される手帳２０と、指定されたスケジュールが配信される情報端末として携帯電話４０と、電子ペン１０のアクセスポイントとなる端末装置３０と、電子ペン１０から送信された情報を処理するＡＳＨサーバ６０(ASH: Application Service Handler)と、電子ペン１０から送信された情報に基づきＡＳＨサーバ６０を特定するペーパルックアップサーバ５０（PLS: Paper Loop-up Server）と、スケジュールを管理するアプリケーションが実行するアプリケーションサーバであるスケジュール管理サーバ７０と、から少なくとも構成される。
【００３０】
本発明に係るスケジュール管理装置は、ＡＳＨサーバ６０とスケジュール管理サーバ７０とで構成され、スケジュール管理装置のスケジュール情報生成手段に係る機能はＡＳＨサーバ６０に備えられ、スケジュール管理装置のスケジュール管理手段に係る機能はアプリケーション管理サーバに備えられている。
【００３１】
電子ペン１０はＡｎｏｔｏ社製で、手帳２０は、電子ペン１０の専用用紙を用いて作られている。図１のＰＬＳ５０は、特許文献３に記述されたペッパールックアップサーバと同じ機能を有し、端末装置３０は、特許文献３に記述されたネットワーク接続装置の役割を果たし、電子ペン１０は端末装置３０を介してネットワーク８０に接続する。
【特許文献３】特表２００６−５１２６６９号公報
【００３２】
図２は、図１で図示したスケジュール管理システム１の動作を示したフロー図で、まず、スケジュール管理システム１の動作について簡単に説明する。
【００３３】
図１に図示したスケジュール管理システム１において、電子ペン１０が読取り可能なドッドパターンが印刷された手帳２０には、打合せや外出予定などのスケジュールを記入するスケジュールエリアと、実行すべきタスクを記入するタスクエリアが設けられている。
【００３４】
ユーザは、定められた規則に従い、電子ペン１０を用いて手帳２０に、スケジュールやタスクを記入し、手帳２０に記入された内容は筆跡情報として電子ペン１０のメモリに記憶される。（ステップＳ１）。
【００３５】
なお、手帳２０には、スケジュールの名称やタスクの名称などの文字に加え、スケジュールの時間帯など、スケジュール管理サーバ７０でスケジュールを管理するときに必要となる情報を示す入力記号が記入される。
【００３６】
電子ペン１０はＡＳＨサーバ６０に、電子ペン１０に記憶された筆跡情報の処理を依頼するとき、電子ペン１０は、端末装置３０を介してネットワーク８０に接続し、筆跡情報を処理するＡＳＨサーバ６０のＵＲＬをＰＬＳ５０に問合せる（ステップＳ１）。
【００３７】
ＡＳＨサーバ６０のＵＲＬに問合せるとき、電子ペン１０を識別するための情報であるペン識別情報と、手帳２０に印刷されたドットパターンを解析することで得られ、手帳２０を示す情報である用紙識別情報とが、ＰＬＳ５０に送信される。
【００３８】
ＰＬＳ５０は、用紙識別情報に関連付けて様々なＡＳＨサーバ６０のＵＲＬを記憶し、用紙識別情報から、筆跡情報を処理できるＡＳＨサーバ６０のＵＲＬを割出す。そして、ペン識別情報で特定される電子ペン１０を所持するユーザが、割出したＡＳＨサーバ６０の利用権限を有しているか確認し、利用権限がある場合は、割出したＡＳＨサーバ６０のＵＲＬを電子ペン１０へ返信する（ステップＳ３）。
【００３９】
電子ペン１０は、端末装置３０を介して、ＡＳＨサーバ６０のＵＲＬをＰＬＳ５０から受信すると、端末装置３０を介して、受信したＡＳＨサーバ６０のＵＲＬに対し筆跡情報を送信する（ステップＳ４）。
【００４０】
ＡＳＨサーバ６０は、電子ペン１０から筆跡情報を受信すると、手書き文字認識やインテリジェント文字認識 (Intelligent Character Recognition)の技術を利用して、手帳２０のスケジュールエリアの領域に含まれる筆跡情報からスケジュール情報を生成し、更に、手帳２０のタスクエリアの領域に含まれる筆跡情報からタスク情報を生成する。
【００４１】
スケジュール管理サーバ７０が生成したスケジュール情報・タスク情報は、アプリケーション管理サーバが解釈できる形式に変換され、スケジュール管理サーバ７０に送信する（ステップＳ５）。
【００４２】
スケジュール管理サーバ７０は、ＡＳＨサーバ６０から送信されたスケジュール情報・タスク情報に従い、ユーザのスケジュールやタスクを管理する（スッテプＳ６）。
【００４３】
例えば、スケジュール管理サーバ７０は、非表示が示されているスケジュール情報に関しては、ユーザのスケジュールを表示しない管理をし、更に、携帯電話４０へ転送が示されているスケジュール情報やタスク情報に関しては、ユーザが指定した日時に至ったとき、指定された携帯電話４０へ送信する管理をする。
【００４４】
ここから、図１で示したスケジュール管理システム１の各構成要素を説明しながら、図２で示した各ステップについて詳細に説明する。
【００４５】
（ステップＳ１の詳細：スケジュール・タスクの記入）
まず、電子ペン１０と、電子ペン１０によってスケジュールやタスクが記入される手帳２０について説明する。図３は、図１で図示した電子ペン１０のブロック図、図４は、手帳２０に印刷されるドットパターンを説明する図である。
【００４６】
図３（ａ）に示したように、手帳２０のスケジュールを記入するページには、カーボンを含んだ特殊インキを用いて、格子状のドットパターンが印刷されている。
【００４７】
ドットパターンの各ドットは、直交する格子状の交点において上下左右のいずれかの方向に微妙にずれた状態で配置される。図３（ｂ）に示したように、ドットの配置位置は意味を持ち、一つのドットで２2通りを表現することができる。
【００４８】
実際には、ドットパターンは、６ドット×６ドットの面積を一単位として読取られ、６ドット×６ドットの単位で一つの位置情報を表し、一つの位置情報を示す６×６のドットパターンと、隣接する位置情報を示す６×６のドットパターンとは、部分的に共通して配置される。
【００４９】
上述したように、一つのドットで２2通りを表現することができるので、３６個のドット（６ドット×６ドット）すべてで、２72通りの位置情報を表現することができる。この２72通りの位置情報を全て網羅できる面積は、非常に膨大な面積になるため、この面積の一部の領域が手帳２０に割当てられ、割当てられた領域に含まれるすべての位置情報で共通となる値が、専用用紙が手帳２０であることを示す用紙識別情報となる。
【００５０】
電子ペン１０には、電子ペン１０ごとに固有の番号であるペン識別情報を有し、図３に図示したように、従来のペンとして機能するペン部１３に加え、電子ペン１０として機能するために、手帳２０に印刷されたドットパターンを読取る手段であるＣＣＤカメラ１２と、端末装置３０と無線通信するための手段である無線通信回路１５（ここでは、ブルートゥース）と、ペン部１３のペン先に加わる圧力を計測するための筆圧センサ１４と、ＣＣＤカメラ１２が撮像した画像の画像処理などの行うためのイメージプロセッサ１６と、イメージプロセッサ１６が処理した情報を記憶するメモリ１１を備えている。
【００５１】
手帳２０に印刷されたドットパターンを読取る手段であるＣＣＤカメラ１２は、光源と光学系を備えている。上述しているように、ドットパターンは、カーボンを含んだ特殊インキで手帳２０に印刷されているため、ＣＣＤカメラ１２は、赤外線を照射して手帳２０を撮像することで、手帳２０に印刷されたドットパターンだけを撮像することができる。
【００５２】
電子ペン１０に備えられた無線通信回路１５は、端末装置３０に対応した通信手段であればよく、Ａｎｏｔｏ社製の電子ペン１０では無線通信回路１５としてブルートゥースを備えている。なお、端末装置３０と通信する手段は、ＵＳＢ(Universal Serial Bus)であってもよい。
【００５３】
筆圧センサ１４は、ユーザが電子ペン１０のペン部１３の先端に加わる圧力すなわち筆圧を検出し、イメージプロセッサ１６へ伝達する手段である。イメージプロセッサ１６は筆圧センサ１４から送信される信号を参照することで、ペン部１３のペン先がＯＮ状態、すなわち、専用用紙に接した状態（＝記入している状態）であるか、ＯＦＦ状態、すなわち、専用用紙に接していない状態（＝記入していない状態）であるか判断できる。
【００５４】
画像処理を行うイメージプロセッサ１６は、ペン部１３のペン先がＯＮ状態であるときに、ＣＣＤカメラ１２を用いて高速（５０回〜１００回／秒）でドットパターンを撮像し、撮像したドットパターンから位置情報を演算する。
【００５５】
イメージプロセッサ１６は、ドットパターンから得られる位置情報、および、位置情報の推移から得られ、電子ペン１０の軌跡を示すストローク情報を少なくとも筆跡情報としてメモリ１１に記憶する。
【００５６】
図５は、手帳２０に備えられ、スケジュールやタスクを記入するエリアを説明する図である。手帳２０には、その日のスケジュールを記入するスケジュールエリア２１、スケジュールに関する詳細内容を記入するメモエリア２２、及び、その日のタスクを記入するタスクエリア２３が日付ごとに設けられ、これらのエリアは通常のインキで印刷されている。
【００５７】
手帳２０の用紙には、日付ごとに異なるドットパターンの領域が割り当てられており、電子ペン１０で記入したときに読取ったドットパターンから位置情報を解析することで、どの日のスケジュール・タスクであるか判断することが可能である。
【００５８】
スケジュールエリア２１には、一時間ごとの時間軸が通常インキで印刷されている。時間軸が印刷されている位置情報と、時間軸に割当てられた位置情報がわかっていれば、スケジュールエリア２１の位置情報から時間を特定することが可能である。
【００５９】
なお、図５の備考欄にはドットパターンが印刷されておらず、備考のエリア２４に記入した内容は、筆跡情報として電子ペン１０に記憶されることはない。
【００６０】
ここから、ユーザがスケジュール・タスクを手帳２０に記入する規則について説明する。図６は、手帳２０に記入されたスケジュール・タスクの一例である。
【００６１】
図６のスケジュールエリア２１に記入された「●」は、スケジュールの時間帯を記入するための入力記号で、スケジュールの開始時刻と終了時刻に入力記号「●」を記入し、１ストロークで記入された線で入力記号「●」を結ぶ。なお、退出など、終了時刻が設定されないスケジュールの場合は、スケジュールの開始時刻のみに入力記号「●」を記入する。
【００６２】
スケジュールの名称は、スケジュールエリア２１の「●」もしくは「●」を結んだ線の右側に記入し、スケジュールのロケーションは、スケジュールの名称の下に（）で括り記入する。なお、スケジュールの詳細内容は、スケジュールの名称の右側のメモエリア２２に記入する。
【００６３】
スケジュールの名称を丸囲いした記号は、スケジュールの表示を指定するため入力記号で、スケジュール管理サーバ７０で表示するスケジュールに関しては、スケジュールの名称を丸囲いするように、１ストロークで交点を持つ円を記入する。なお、スケジュール管理サーバ７０で非表示するスケジュールに関しては、スケジュールについては、スケジュールの名称を丸囲いしない。
【００６４】
更に、日付が印刷されている箇所の右側にはマーク２１ａが通常インキで印刷され、このマーク２１ａに記入されたチェック記号は、スケジュールを携帯電話４０に送信することを意味する入力記号で、マーク２１ａが印刷されている位置にチェック記号を記入すると、その日のスケジュールが携帯電話４０に送信される。
【００６５】
その日に実行されるべきタスクは、タスクエリア２３に記入される。タスクの名称は、タスクエリア２３に印刷された白丸印２３ａの右側に記入し、完了したタスクについては、左側の白丸印２３ａを黒く塗り潰す。なお、携帯電話４０に転送したいタスクについては、タスクの名称に下線を引く。
【００６６】
例えば、図５では、９月１日の９：３０と１２：００に入力記号「●」が記入され線で結ばれている。これは、９：３０と１２：００の間にスケジュールが設定されたことを意味し、このスケジュールの名称は「Ａ社訪問」である。
【００６７】
「Ａ社訪問」のスケジュールのロケーションとしては、「○×ビル」が（）で括られて記入され、更に、スケジュールの名称である「Ａ社訪問」は丸囲いされているため、「Ａ社訪問」のスケジュールは表示するスケジュールであることが示される。
【００６８】
「Ａ社訪問」のスケジュールの時間に対応するメモエリア２２には、「Ａ社訪問」のスケジュールの詳細内容（「新製品Ａのプレゼンテーション」）が記入されている。
【００６９】
同様に、１５：００から１７：００の間に、名称が「社内ミーティング」であるスケジュールが記入され、スケジュールのロケーションとして「ミーティングルーム１」が（）で括られて記入されている。なお、「社内ミーティング」のスケジュールの名称は丸囲いされているため、「社内ミーティング」のスケジュールは公開するスケジュールである。
【００７０】
更に、１８：３０には、「退社」のスケジュールが記入されている。なお、「退社」のスケジュールは終了時間が設定されないため、入力記号「●」は１８：３０のみに記入されている。なお、「退社」のスケジュールの名称は丸囲いされているため、「退社」のスケジュールは公開するスケジュールである。
【００７１】
図５のタスクエリア２３には、タスクとして、「週報作成」と「打合せ（９／５）の資料作成」の２つのタスクの名称が記入されている。「週報作成」のタスクは携帯電話４０に送信するために、タスクの名称である「週報作成」には下線が引かれている。
【００７２】
更に、名称が「週報作成」であるタスクは完了しているため、「週報作成」の左側の白丸印２３ａは黒く塗りつぶされている。
【００７３】
（ステップＳ２の詳細：ＡＳＨサーバ６０のＵＲＬの問合わせ）
電子ペン１０がＡＳＨサーバ６０のＵＲＬをＰＬＳ５０に問合せるとき、電子ペン１０は端末装置３０を介してネットワーク８０に接続される。ネットワーク接続装置としての役割を端末装置３０が果たすために、図１で図示したように端末装置３０には、電子ペン１０と端末装置３０が通信するときのインターフェースフェースとなるクレドール３１（cradle）が接続され、電子ペン１０とネットワーク８０に接続されたサーバ（ＰＬＳ５０およびＡＳＨサーバ６０）との通信を中継する中継プログラムがインストールされている。
【００７４】
電子ペン１０がクレドール３１に接続されると、中継プログラムが起動し、電子ペン１０とクレドール３１間で無線通信が開始される。電子ペン１０は無線通信が開始されると、電子ペン１０ごとに固有なペン識別情報と、電子ペン１０で記入したときに得られる用紙識別情報とを、端末装置３０を介してＰＬＳ５０に送信し、ＰＬＳ５０にＡＳＨサーバ６０のＵＲＬを問合せる。
【００７５】
（ステップＳ３の詳細：ＡＳＨサーバ６０のＵＲＬの送信）
電子ペン１０が、ＡＳＨサーバ６０のＵＲＬを問合せるＰＬＳ５０には、電子ペン１０の専用用紙に付与されている用紙識別情報に関連付けてＡＳＨサーバ６０のＵＲＬを、更に、電子ペン１０に付与されているペン識別情報に関連付けてＡＳＨサーバ６０の利用権限を記憶しているデータベースと、ＡＳＨサーバ６０のＵＲＬを電子ペン１０に送信するコンピュータプログラムがインストールされている。
【００７６】
ＰＬＳ５０が電子ペン１０からペン識別情報と用紙識別情報を受信すると、ＰＬＳ５０の処理手段は、データベースを参照し、用紙識別情報に対応するＡＳＨサーバ６０のＵＲＬを割出し、割出したＡＳＨサーバ６０の利用権限をペン識別情報で特定される電子ペン１０が有しているか確認する。
【００７７】
ＰＬＳ５０の処理手段は、割出したＡＳＨサーバ６０の利用権限をペン識別情報で特定される電子ペン１０が有している場合、割出したＡＳＨサーバ６０のＵＲＬを電子ペン１０に返信する。
【００７８】
（ステップＳ４の詳細：筆跡情報の送信）
電子ペン１０は、ＰＬＳ５０からＡＳＨサーバ６０のＵＲＬを受信すると、電子ペン１０は、端末装置３０を介し、ＰＬＳ５０から受信したＡＳＨサーバ６０のＵＲＬへ記憶している筆跡情報を送信する。
【００７９】
（ステップＳ５の詳細：筆跡情報の処理）
ＡＳＨサーバ６０には、電子ペン１０から受信した筆跡情報をスケジュール管理サーバで処理できる形式に変換するコンピュータプログラムが備えられ、電子ペン１０から筆跡情報を受信すると、受信した筆跡情報を処理する。
【００８０】
ＡＳＨサーバ６０が、電子ペン１０から受信した筆跡情報を処理するとき、手書き文字認識やインテリジェント文字認識の技術を利用して、手帳２０に記入された文字や入力記号を検索し、スケジュールエリア２１に記入されている文字や入力記号からスケジュール情報を生成し、タスクエリア２３に記入されている文字や入力記号からタスク情報を生成する。
【００８１】
図７は、ＡＳＨサーバ６０が生成するスケジュール情報の一例を示した図で、本例では、スケジュール情報には、スケジュールの名称、スケジュールの開始日時・終了日時、スケジュールが開催されるロケーション、スケジュールの詳細内容が含まれ、更に、スケジュール情報の表示を設定する表示フラグ、そして、スケジュール情報の携帯電話４０への通知を設定する通知フラグが含まれる。
【００８２】
図８は、ＡＳＨサーバ６０が生成するタスク情報の一例を示した図で、本例では、タスク情報には、タスクの名称、タスクが設定されている日付、タスクの番号、タスクの作業の完了を示す完了フラグ、そして、タスク情報の携帯電話４０への通知を設定する通知フラグが含まれる。
【００８３】
なお、タスクの番号とは、その日に設定されたタスクを識別するための情報で、例えば、図５では、３つのタスクが記述されているため、上から順にタスクの番号は「１」，「２」，「３」とする。どのタスクの番号に対応するかは、タスクの名称が記入された位置情報から特定できる。
【００８４】
まず、ＡＳＨサーバ６０がスケジュール情報を生成する手順について説明する。図９は、スケジュール情報を生成する手順を示したフロー図である。
【００８５】
スケジュール情報を生成するとき、ＡＳＨサーバ６０は、手書き文字認識やインテリジェント文字認識の技術を利用して、スケジュールエリア２１に記述された文字列の中から、スケジュールの名称となる文字列を検索する（ステップＳ１０）。
【００８６】
ＡＳＨサーバ６０は、スケジュール情報の名称となる文字列を検索するとき、スケジュールエリア２１の行方向に並んで記述された文字列をスケジュール情報の名称の候補として抽出する。そして、抽出した文字列が（）で括られていないとき、抽出した文字列をスケジュールの名称とし、その文字列と位置情報とを関連付けて記憶する共に、文字列ごとに、図７で図示したようなスケジュール情報を生成する。なお、スケジュール情報の名称は、ステップＳ１０で抽出した文字列とする。
【００８７】
スケジュールの名称を取得した後、ＡＳＨサーバ６０は、スケジュール情報のロケーションとなる文字列を取得する（ステップＳ１１）。スケジュールの名称となる文字列が記入された位置の下近傍を検索し、（）で括られた文字列が検索された場合、検索した文字列をスケジュール情報のロケーションとして取得する。
【００８８】
次に、ＡＳＨサーバ６０は、スケジュール情報の日付を取得する（ステップＳ１２）。スケジュールの日付は、スケジュール情報の名称となる文字列が記入されている位置情報から特定される。
【００８９】
上述しているように、スケジュールエリア２１ごとに異なるドットパターンが割り振られているため、ドットパターンを解析することで得られる位置情報さえわかれば、どの日付のスケジュールエリア２１であるか一意に決定することができる。
【００９０】
次に、ＡＳＨサーバ６０は、スケジュール情報の時間帯を取得する（ステップＳ１３）。スケジュール情報の開始時刻及び終了時刻は、入力記号「●」の位置情報に基づいて決定される。ＡＳＨサーバ６０は、スケジュールエリア２１の時間軸とその位置情報と関連付けることができ、入力記号「●」の位置情報から、例えば３０分刻みで、入力記号「●」が記入された時間を割出す。
【００９１】
スケジュール情報の名称となる文字列の左側の領域に、単独の入力記号「●」しかない場合、その時刻を開始時刻及び終了時刻とする。また、１ストロークで記入された線で連結された２つの入力記号「●」がある場合、入力記号「●」の位置情報で得られる２つの時刻の中で、早い時刻がスケジュールの開始時刻とし、遅い時刻をスケジュールの終了時刻とする。
【００９２】
また、スケジュール情報の名称となる文字列の左側の領域に、単独の入力記号「●」、或いは、１ストロークで記入された線で連結された２つの入力記号「●」のいずれかもない場合は、スケジュール情報の名称となる文字列の位置情報から時刻を割出し、割出した時刻をスケジュール情報の開始時刻及び終了時刻とするとよい。
【００９３】
次に、ＡＳＨサーバ６０はスケジュール情報の詳細内容となる文字列を取得する（ステップＳ１４）。スケジュールの詳細内容となる文字列は、スケジュールの名称となる文字列が記入された右側に対応するメモエリア２２に文字列が記入されていれば、記入されている文字列をスケジュールの詳細内容の文字列として取得する。
【００９４】
ＡＳＨサーバ６０が、スケジュール情報の表示フラグを設定するとき、スケジュールエリア２１の丸囲いの入力記号を検索する（ステップＳ１５）。丸囲いの入力記号を検索するときは、１ストロークで記述され、交点を有し定められた大きさ以上の円形状で、円形状の内部に文字列があるものを丸囲いの入力記号として判断する。
【００９５】
そして、検索した丸囲いの入力記号の中に、スケジュール情報の名称となる文字列の位置情報が含まれる場合、そのスケジュールの表示フラグの設定をオンにする。
【００９６】
また、ＡＳＨサーバ６０が、スケジュール情報の通知フラグを設定するとき、日付の欄の右側に印刷されたマーク２１ａの位置にチェック記号があるか検索する（ステップＳ１６）。チェック記号がある場合、その日付に記入されているすべてのスケジュールの通知フラグをオンに設定する。このステップをもって、スケジュール情報を生成する手順は終了する。
【００９７】
次に、ＡＳＨサーバ６０がタスク情報を生成する手順について説明する。図１０は、タスク情報を生成する手順を示したフロー図である。
【００９８】
タスク情報を生成するとき、ＡＳＨサーバ６０は、手書き文字認識やインテリジェント文字認識の技術を利用して、タスクエリア２３の行方向に並んで記述された文字列をタスク情報の名称として取得する（ステップＳ２０）。
【００９９】
なお、ＡＳＨサーバ６０は、このステップＳ２０でタスク情報の名称となる文字列を取得すると、図８で図示したようなタスク情報を文字列ごとに生成する。なお、タスク情報の名称は、ステップＳ２０で抽出した文字列とする。
【０１００】
次に、ＡＳＨサーバ６０は、タスク情報の日付を取得する（ステップＳ２１）。スケジュール情報と同様に、タスク情報の日付は、タスク情報の名称となる文字列の位置情報から特定できる。
【０１０１】
次に、ＡＳＨサーバ６０は、タスク情報の通知フラグを設定する（ステップＳ２２）。ＡＳＨサーバ６０は、タスク情報の名称となる文字列の下に、下線があれば、そのタスク情報の通知フラグをオンに設定する。このステップをもって、タスク情報を生成する手順は終了する。
【０１０２】
なお、ＡＳＨサーバ６０は、タスクエリア２３の筆跡情報を検索するとき、タスクエリア２３の白丸印２３ａの領域を検索し、白丸印２３ａが塗り潰されているときは情報が含まれているとき、その時の日付と、塗り潰された白丸印２３ａの位置情報から得られるタスクの番号が含まれるタスク情報を生成する。
【０１０３】
このようにして、電子ペン１０の筆跡情報から生成したスケジュール情報やタスク情報はスケジュール管理サーバ７０が解釈できる形式（例えば、vCalendar形式やiCalendar形式）に変換され、ペン識別情報と共に、ＡＳＨサーバ６０からスケジュール管理サーバ７０に送信される。
【０１０４】
（ステップＳ６の詳細：スケジュールの管理）
スケジュール管理サーバ７０は、ユーザを識別するための情報であるユーザ識別情報とペン識別情報とを関連付けて記憶するユーザデータベースと、ユーザ識別情報に関連付けてスケジュール情報・タスク情報を記憶するスケジュールデータベースとを備え、更に、ユーザのスケジュールを管理するためのコンピュータプログラムであるスケジュール管理アプリケーションを備えている。
【０１０５】
本発明において、スケジュール管理サーバ７０に備えられたスケジュール管理アプリケーションの限定はないが、少なくとも、外部装置（ここでは、ＡＳＨサーバ６０）から送信されるスケジュール情報とタスク情報をインポートできる機能を備えていることが必要である。
【０１０６】
スケジュール管理サーバ７０は、ユーザデータベースを参照し、ＡＳＨサーバ６０送信されたペン識別情報からユーザ識別情報を割出し、ＡＳＨサーバ６０送信されたスケジュール情報やタスク情報を、割出したユーザ識別情報のスケジュールとしてスケジュールデータベースに登録し管理する。
【０１０７】
例えば、スケジュール管理サーバ７０は、ユーザのスケジュール情報を表示する要求があったとき、表示フラグがオンに設定されているスケジュール情報のみを表示し、表示フラグがオフに設定されているスケジュール情報は表示しない処理を実施する。
【０１０８】
さらに、スケジュール管理サーバ７０は、ユーザによって指示された日時に達したときに、通知フラグが設定されているスケジュール情報やタスク情報をユーザの携帯電話４０に送信する。
【０１０９】
なお、上述した入力記号は、ほんの一例にしか過ぎず、様々な入力記号を設定することが可能である。例えば、スケジュールを削除するときに、スケジュールの名称となる文字列に取り消し線を引くルールを設定しておけば、ＡＳＨサーバ６０は、名称に取り消し線が引かれているスケジュール情報を削除するための情報を生成することもできる。
【図面の簡単な説明】
【０１１０】
【図１】電子ペンを利用したスケジュール管理システムの構成を示した図。
【図２】スケジュール管理システムの動作を示したフロー図。
【図３】電子ペンのブロック図。
【図４】手帳に印刷されるドットパターンを説明する図。
【図５】スケジュールやタスクを記入するエリアを説明する図。
【図６】手帳に記入されたスケジュール・タスクの一例。
【図７】ＡＳＨサーバが生成するスケジュール情報の一例。
【図８】ＡＳＨサーバが生成するタスク情報の一例。
【図９】スケジュール情報を生成する手順を示したフロー図。
【図１０】タスク情報を生成する手順を示したフロー図。
【符号の説明】
【０１１１】
１  スケジュール管理システム
１０  電子ペン
２０  手帳
３０  端末装置
４０  携帯電話
５０  ＰＬＳ
６０  ＡＳＨサーバ
７０  スケジュール管理サーバ
【図１】
2008097404.tif 000003
【図２】
2008097404.tif 000004
【図３】
2008097404.tif 000005
【図４】
2008097404.tif 000006
【図５】
2008097404.tif 000007
【図６】
2008097404.tif 000008
【図７】
2008097404.tif 000009
【図８】
2008097404.tif 000010
【図９】
2008097404.tif 000011
【図１０】
2008097404.tif 000012